(57)【要約】【課題】外光を室内に採り入れることができるとともに、視線を遮ることができ、かつ、使用する目隠し材の取付け及び取替えが容易な窓用目隠しを提供する。【解決手段】本窓用目隠し１は、窓用サッシ５の框５０間に着脱自在に取り付けられる窓用目隠し１であって、その室外側面に複数の凸状部２１を有する室内側フレーム２と、その室内側面に室内側フレーム２の凸状部２１に対応する複数の凹状部３１を有する室外側フレーム３と、室内側フレーム２と室外側フレーム３との間に着脱自在に挟持される不透明な目隠し材４と、を備えるものである。【選択図】図３
2007120215.tif 000002
【特許請求の範囲】
【請求項１】
窓用サッシの框間に着脱自在に取り付けられる窓用目隠しであって、
その室外側面に複数の凸状部を有する室内側フレームと、
その室内側面に前記室内側フレームの凸状部に対応する複数の凹状部を有する室外側フレームと、
前記室内側フレームと前記室外側フレームとの間に着脱自在に挟持される不透明な目隠し材と、を備えることを特徴とする窓用目隠し。
【請求項２】
前記室内側フレームは、その側方に対して出没自在に設けられたホゾを有することを特徴とする請求項１記載の窓用目隠し。
【発明の詳細な説明】
【技術分野】
【０００１】
本発明は、窓用サッシの框間に着脱自在に取り付けられて、外光を室内に採り入れることができるとともに、視線を遮ることができる窓用目隠しに関する。
【背景技術】
【０００２】
住宅等の外壁に設けられた窓用サッシには、風呂場や便所等を除いて、一般に、透明なガラスが嵌め込まれている。この透明なガラスにより、外光を室内に採り入れることができ、また、外部の景色を楽しむことができる。しかし、逆に外部から室内側を見通すこともできるため、プライバシーを確保したい場合、窓にカーテンやブラインド等により視線を遮る必要があるが、カーテンやブラインド等を設けると室内への採光が十分でなかったり、採光を確保しようとしてレース状のカーテンを設けた場合には、紫外線を多くカットできないということがあった。
【０００３】
そこで、室内への採光を確保するとともに、室内に侵入する紫外線を多くカットできる窓用目隠しがある（例えば、特許文献１参照）。この特許文献１の窓用目隠しによれば、窓用サッシの框に障子紙や布等の目隠し材を貼付した枠状部材を取り外し可能に装着することにより、室内への採光を確保し、室内に侵入する紫外線をレース状のカーテンよりも多くカットしている。
【特許文献１】特開２００１−５５８７５号公報
【発明の開示】
【発明が解決しようとする課題】
【０００４】
しかしながら、特許文献１の窓用目隠しでは、枠状部材に目隠し材を貼付しており、目隠し材を貼付するのに手間がかかり、また、貼付した目隠し材を取り替える場合は、さらに手間がかかっていた。
【０００５】
そこで、本発明は、外光を室内に採り入れることができるとともに、視線を遮ることができ、かつ、使用する目隠し材の取付け及び取替えが容易な窓用目隠しを提供することを目的とする。
【課題を解決するための手段】
【０００６】
上記目的を達成するために、請求項１記載の窓用目隠しは、窓用サッシの框間に着脱自在に取り付けられる窓用目隠しであって、その室外側面に複数の凸状部を有する室内側フレームと、その室内側面に前記室内側フレームの凸状部に対応する複数の凹状部を有する室外側フレームと、前記室内側フレームと前記室外側フレームとの間に着脱自在に挟持される不透明な目隠し材と、を備えることを特徴としている。
【０００７】
請求項２記載の窓用目隠しは、請求項１記載の窓用目隠しにおいて、前記室内側フレームは、その側方に対して出没自在に設けられたホゾを有することを特徴としている。
【発明の効果】
【０００８】
本発明の請求項１の窓用目隠しによれば、その室外側面に複数の凸状部を有する室内側フレームと、その室内側面に前記室内側フレームの凸状部に対応する複数の凹状部を有する室外側フレームと、前記室内側フレームと前記室外側フレームとの間に着脱自在に挟持される不透明な目隠し材と、を備えるため、このような構成の窓用目隠しを窓用サッシの框間に取り付けることにより、目隠し材が不透明であることにより、外光を室内に採り入れることができるとともに、視線を遮ることができる。また、室内側フレームの凸状部を目隠し材に突き刺すとともに、室外側フレームの凹状部に嵌合することにより目隠し材を室内側フレームと室外側フレームの間に挟持するため、使用する目隠し材の取付け及び取替えが容易である。
【０００９】
請求項２の窓用目隠しによれば、請求項１記載の窓用目隠しの効果に加えて、室内側フレームがその側方に対して出没自在に設けられたホゾを有するため、窓用目隠しを窓用サッシの框間に取り付けた際にホゾを側方に突出させることにより、窓用目隠しを窓用サッシの框間に確実に固定できる。
【発明を実施するための最良の形態】
【００１０】
以下、本発明の実施の形態に係る窓用目隠しについて図面に基づいて説明する。
図１乃至図３は、本発明の実施の形態に係る窓用目隠し１の概略構成を示すそれぞれ正面図、側面図、及び斜視図である。この窓用目隠し１は、図示するように、室内側フレーム２、室外側フレーム３、及び目隠し材４を主体に構成される。以下、詳細に説明する。
【００１１】
室内側フレーム２は、図１乃至図３に示すように、窓用サッシ５の框５０間に取り付けられるように、矩形の枠状に形成されたフレーム部材であり、木やアルミ等により製作されるが、材質は、特に限定されるものではない。この室内側フレーム２は、その室外側面２０に複数の凸状部２１を有している。この凸状部２１は、図４に示すように、その先端が尖っており、前記目隠し材４に突き刺さりやすい形状をしている。また、室内側フレーム２は、その上縁部２２及び下縁部２３の側方に対して出没自在に設けられたホゾ２４を有している。このホゾ２４は、図１に示すように、その内側端部に取り付けられたレバー２５を左右に移動することにより、上縁部２２及び下縁部２３の側方に対して出没するようになされている。
【００１２】
室外側フレーム３は、図２及び図３に示すように、前記室内側フレーム２と同様に、窓用サッシ５の框５０間に取り付けられるように、矩形の枠状に形成されたフレーム材であり、木やアルミ等により製作されるが、材質は、特に限定されるものではない。この室外側フレーム３は、その室内側面３０に前記室内側フレーム２の凸状部２１に対応する複数の凹状部３１を有している。この凹状部３１は、図４に示すように、前記凸状部２１よりも若干大きく設けてある。このため、室内側フレーム２と室外側フレーム３の間に目隠し材４を挟持する際に凸状部２１を目隠し材４に突き刺すとともに、凹状部３１に嵌合させるが、その際、目隠し材４が凸状部２１と凹上部３１の間に挟まることにより凸状部２１と凹上部３１の隙間が目隠し材４により埋められて、凸状部２１が凹上部３１から抜けにくくなる。また、室外側フレーム３の上縁部３２及び下縁部３３には、前記室内側フレーム２のホゾ２４に対応する位置に切欠部３４が設けられており、室内側フレーム２と室外側フレーム３とを合わせた際に、ホゾ２４が室内側フレーム２の側方から出没できるようになされている。
【００１３】
目隠し材４は、不透明な矩形の和紙や障子紙等であり、前記室内側フレーム２と室外側フレーム３の間に着脱自在に挟持されるものである。この目隠し材４は、室内側フレーム２と室外側フレーム３の間に挟んだ際に室内側フレーム２や室外側フレーム３の周囲からはみ出さないように、室内側フレーム２や室外側フレーム３の外形よりも若干小さいサイズで形成されている。この目隠し材４を室内側フレーム２と室外側フレーム３の間に挟持する場合、図４に示すように、室内側フレーム２の凸状部２１の尖った先端を目隠し材４と室外側フレーム３の凹状部３１の方向に押し込むことにより、凸状部２１が目隠し材４に突き刺さって目隠し材４に穴が開き、目隠し材４が室内側フレーム２と室外側フレーム３の間に挟持される。また、目隠し材４は、彩色が施されていてもよく、この場合、窓用サッシ５のガラス５１から透過してくる外光により目隠し材４が照らされ、この彩色が施された目隠し材４を介した光が室内に透過してくるため、室内の雰囲気を変化することができる。なお、目隠し材４は、布であってもよく、この場合において、凸状部２１が突き刺さりにくいときは、凸状部２１に対応した位置にあらかじめ穴を設けておいてもよい。また、目隠し材４に室内側フレーム２の凸状部２１が必ずしも突き刺さる必要はなく、室外側フレーム３の凹状部３１側に押し込まれていればよい。
【００１４】
以上の構成からなる窓用目隠し１を窓用サッシ５の框５０間に取り付けるには、まず、図２乃至図４に示すように、室内側フレーム２を目隠し材４及び室外側フレーム３の方向に押し込んで、目隠し材４を室内側フレーム２と室外側フレーム３の間に挟持し、窓用目隠し１を形成する。このとき、目隠し材４がよれたり、たるまないように留意する。このように、目隠し材４を室内側フレーム２と室外側フレーム３に容易に取り付けることができる。なお、目隠し材４に室内側フレーム２の凸状部２１により穴が開きにくい場合は、あらかじめ目隠し材４の凸状部２１に対応する位置に穴を開けておいてもよい。
【００１５】
次いで、図５に示すように、あらかじめ窓用サッシ５の框５０のホゾ２４に対応する位置にホゾ穴５２を設けておき、窓用目隠し１を窓用サッシ５の框５０間に嵌め込む。そして、ホゾ２４をレバー２５を操作することにより室内側フレーム２の側方から突出させてホゾ穴５２に嵌合させて、窓用目隠し１を窓用サッシ５の框５０間に取り付ける。このように、窓用目隠し１を窓用サッシ５の框５０間に容易かつ確実に取り付けることができる。また、外部側の窓用サッシ５にはクレセント５３等の錠前が設けてあることが多いが、図示するように、クレセント５３を避けるように窓用目隠し１を形成することにより、窓用目隠し１を窓用サッシ５の框５０間に取り付けたまま、窓用サッシ５の施解錠を行うことができる。
【００１６】
また、窓用目隠し１を窓用サッシ５の框５０間から取り外す場合は、ホゾ２４をレバー２５を操作することにより室内側フレーム２側に収納させ、窓用目隠し１を室内側に引っ張って窓用サッシ５の框５０間から取り外す。このように、窓用目隠し１を窓用サッシ５の框５０間から容易に取り外すことができる。
【００１７】
さらに、室内側フレーム２と室外側フレーム３の間に挟持された目隠し材４を取り外す場合、室内側フレーム２の凸状部２１が室外側フレーム３の凹状部３１から抜けるように、室内側フレーム２と室外側フレーム３を引き離すことにより、目隠し材４を取り外すことができる。このように、目隠し材４の取替えを容易に行うことができる。
【００１８】
以上の説明より明らかなように、本発明の実施の形態に係る窓用目隠し１によれば、この窓用目隠し１を窓用サッシ５の框５０間に取り付けることにより、外光を室内に採り入れることができるとともに、視線を遮ることができる。また、使用する目隠し材４の取付け及び取替えが容易である。また、室内側フレーム２がその側方に対して出没自在に設けられたホゾ２４を有するため、窓用目隠し１を窓用サッシ５の框５０間に確実に固定できる。
【００１９】
なお、本発明は上記実施形態に限定されるものではなく、本発明の要旨の範囲内で種々の変形実施が可能である。例えば、本実施の形態では、室内側フレーム２は、ホゾ２４を有するものとしたが、室内側フレーム２の外形が窓用サッシ５の框５０とあそびなく嵌合し、取り付けることができれば、室内側フレーム２がホゾ２４を必ずしも有するものとしなくてもよい。また、窓用サッシ５の框５０にホゾ穴５２を設けてホゾ２４を手動でホゾ穴５２に嵌め込んだが、ホゾ２４をバネ等により窓用目隠し１の側方へ付勢されたものとし、窓用サッシ５の框５０にホゾ穴５２を設けずに、ホゾ２４の付勢力により窓用目隠し１が窓用サッシ５の框５０間に取り付けられるものとしてもよい。
【産業上の利用可能性】
【００２０】
本発明は、住宅等の窓用サッシから外光を室内に採り入れながらも、視線を遮断したい場合に利用可能である。
【図面の簡単な説明】
【００２１】
【図１】本発明の実施の形態に係る窓用目隠しの概略構成の一例を示す正面図である。
【図２】窓用目隠しの概略構成の一例を示す側面図である。
【図３】窓用目隠しの概略構成の一例を示す斜視図である。
【図４】室内側フレームの凸状部と室外側フレームの凹状部の嵌合部分の拡大図である。
【図５】窓用サッシに窓用目隠しを取り付ける場合を説明する正面図である。
【符号の説明】
【００２２】
１    窓用目隠し
２    室内側フレーム
２１    凸状部
３    室外側フレーム
３１    凹状部
４    目隠し材
５    窓用サッシ
５０    框
【図１】
2007120215.tif 000003
【図２】
2007120215.tif 000004
【図３】
2007120215.tif 000005
【図４】
2007120215.tif 000006
【図５】
2007120215.tif 000007